(57)【特許請求の範囲】
【請求項１】
任意の液体を収容可能な中空状の容器本体と、容器本体の上端側から上方に延びる首部とを備え、首部の上端に液体を注出するための注出口を設けた液体容器において、
前記首部の上下方向所定位置にその上方に位置する首部の下端側から下方に位置する首部の上端側に亘って径方向外側に延びるように鍔状に形成され、鍔状部分が上方に凸状をなすように変形した状態と下方に凸状をなすように変形した状態にそれぞれ保持可能に形成されるとともに、鍔状部分の一部を下方に変形させて他の一部を上方に変形させることにより、上方に位置する首部を横方向に傾斜させた状態で保持可能な可動部と、
可動部の鍔状部分の周縁に互いに鍔状部分の周方向に間隔をおいて設けられ、鍔状部分の上面側から下方の首部の上端側に亘って延びる複数の凹部とを備えた
ことを特徴とする液体容器。
【請求項２】
前記容器本体、首部及び可動部を一体に成形した
ことを特徴とする請求項１記載の液体容器。
【発明の詳細な説明】
【技術分野】
【０００１】
本発明は、例えばペットボトルのように飲料等の各種液体を収容するために用いられる液体容器に関するものである。
【背景技術】
【０００２】
一般に、清涼飲料、炭酸飲料、お茶、酒類等の各種飲料は、ペットボトル等のプラスチック製の液体容器に収容して販売されている。この液体容器は、飲料を収容可能な中空状の容器本体と、容器本体の上端側から上方に延びる首部とを備え、首部の上端には飲料を注出するための注出口が設けられている。
【０００３】
この液体容器からコップやグラスに飲料を注ぐ場合には、容器本体を把持して注出口がコップやグラスに臨むように傾けながら飲料を注出しているが、液体容器内の飲料の量が多い場合など、容器本体を傾けた際に飲料が勢いよく吐出する場合があり、飲料がコップやグラスからこぼれたり、周囲に飛散したりするという問題がある。
【０００４】
そこで、容器本体の上部に斜め上方に延びる首部を設け、容器本体を首部の傾斜方向に傾けながら飲料を注出することにより、コップやグラスに飲料を注ぎ易くしたものが知られている（例えば、特許文献１参照。）。
【０００５】
しかしながら、前述のように予め傾斜した形状の首部を設けたものでは、飲料注出時以外であっても首部の注出口を真上に向けることができないため、首部が傾斜したままでは不都合を生ずる場合が多い。例えば、飲料の製造工場においては、注出口が斜め上方を向いていると、液体容器の真上から飲料を注入することができず、既存の工場設備が使えないなどの不具合がある。また、販売店に商品として陳列する場合は、首部の傾斜方向を揃えないと陳列状態が雑然とし、店頭での見栄えを低下させることになる。
【特許文献１】
実用新案登録第３１０７２８８号公報
【発明の開示】
【発明が解決しようとする課題】
【０００６】
本発明は前記問題点に鑑みてなされたものであり、その目的とするところは、注出口を斜め方向に向けて液体を注出することができるとともに、注出口を真上に向けることも可能な液体容器を提供することにある。
【課題を解決するための手段】
【０００７】
【課題を解決するための手段】
本発明は前記目的を達成するために、任意の液体を収容可能な中空状の容器本体と、容器本体の上端側から上方に延びる首部とを備え、首部の上端に液体を注出するための注出口を設けた液体容器において、前記首部の上下方向所定位置にその上方に位置する首部の下端側から下方に位置する首部の上端側に亘って径方向外側に延びるように鍔状に形成され、鍔状部分が上方に凸状をなすように変形した状態と下方に凸状をなすように変形した状態にそれぞれ保持可能に形成されるとともに、鍔状部分の一部を下方に変形させて他の一部を上方に変形させることにより、上方に位置する首部を横方向に傾斜させた状態で保持可能な可動部と、可動部の鍔状部分の周縁に互いに鍔状部分の周方向に間隔をおいて設けられ、鍔状部分の上面側から下方の首部の上端側に亘って延びる複数の凹部とを備えている。
【０００８】
これにより、可動部の上方の首部を横方向に傾斜させることにより、液体を外部の容器に注ぐ際、首部の傾斜により注出口を外部の容器に向けて液体を注出することができ、液体を外部の容器からこぼしたり、周囲に飛散させることが少なくなる。また、液体注出時以外は首部を傾斜させずに注出口を真上に向けておくことができる。更に、可動部の鍔状部分が上下方向に変形する際、鍔状部分の周縁に生ずる周方向の応力が各凹部の周方向の変形によって吸収されることから、可動部を繰り返し変形させても鍔状部分の周縁に亀裂が生ずることがない。
【０００９】
【発明の効果】
本発明の液体容器によれば、注出口を斜め方向に向けて液体を注出することができるので、液体を外部の容器に注ぎ易くなり、液体注出作業を円滑に行うことができる。また、注出口を真上に向けることもできるので、例えば液体の製造工場においては、一般の液体容器と同様、真上から飲料を注入することができ、既存の工場設備を利用することができるという利点がある。更に、販売店に商品として陳列する場合には、首部を真上に向けておくことにより、一般の液体容器と同様に整然と陳列することができ、店頭での見栄えを低下させることがないという利点もある。また、可動部を繰り返し変形させても鍔状部分の周縁に亀裂が生ずることがないので、耐久性の向上を図ることができる。
【００１０】
【図面の簡単な説明】
【図１】本発明の一実施形態を示す液体容器の全体斜視図
【図２】液体容器の正面図
【図３】首部を上方に引き出した状態を示す要部正面断面図
【図４】首部を下方に押し込んだ状態を示す要部正面断面図
【図５】首部を傾けた状態を示す要部正面断面図
【図６】飲料注出状態を示す側面図
【図７】他の飲料注出状態を示す側面図
【図８】可動部に凹部を設けた液体容器の平面図
【図９】可動部に凹部を設けた液体容器の要部正面図
【図１０】可動部に凹部を設けた液体容器の要部正面断面図
【符号の説明】
【００１１】
１…容器本体、２…首部、２ａ…第１の首部、２ｂ…第２の首部、３…可動部、３ａ…凹部、６…飲料、８…液体。
【発明を実施するための最良の形態】
【００１２】
図１乃至図６は本発明の一実施形態を示すもので、図１は液体容器の全体斜視図、図２はその正面図、図３は首部を上方に引き出した状態を示す要部正面断面図、図４は首部を下方に押し込んだ状態を示す要部正面断面図、図５は首部を傾けた状態を示す要部正面断面図、図６は飲料注出状態を示す側面図である。
【００１３】
この液体容器は、飲料を収容可能な容器本体１と、容器本体１の上端側から上方に延びる首部２と、首部２の上下方向所定位置に設けられた可動部３とを備え、容器本体１、首部２及び可動部３は周知のブロー成型によって一体に成形されている。
【００１４】
容器本体１は横方向断面が略四角形状をなす縦長の中空形状を有し、所定の容量（例えば、１リットル，１．５リットル，２リットル等）に応じた大きさに形成されている。
【００１５】
首部２は、可動部３の下方に形成される第１の首部２ａと、可動部３の上方に形成される第２の首部２ｂとからなり、第２の首部２ｂの上端には注出口２ｃが設けられている。第１の首部２ａは横方向断面が略四角形状をなすように形成され、その各側面は容器本体１の上端側から互いに接近するように斜め上方に延びている。また、第１の首部２ａの上端部２ｄは横方向断面が円形をなすように形成されるとともに、斜め上方に向かって径が大きくなるように形成されている。第２の首部２ｂは横方向断面が円形をなすように形成され、その周面は上下方向略中央部の径が大きく、上端側及び下端側の径が小さくなるように形成されている。また、第２の首部２ｂの上端にはキャップ形の蓋４がネジ嵌合により取付けられ、蓋４によって注出口２ｃが開閉されるようになっている。
【００１６】
可動部３は第１の首部２ａと第２の首部２ｂとの間に配置され、第２の首部２ｂが横方向に傾斜するように変形可能になっている。可動部３は首部２の径方向に延びる円形の鍔状に形成され、その径方向内側に第２の首部２ｂが配置されている。即ち、可動部３は第２の首部２ｂの下端側から第１の首部２ａの上端部２ｄまで径方向外側に向かって延び、鍔状部分が上下方向に変形するようになっている。この場合、可動部３は、図２(a) に示すように鍔状部分が上方に変形した状態と、図２(b) に示すように下方に変形した状態にそれぞれ保持可能に形成されている。
【００１７】
即ち、図２(a) 及び図３に示すように第２の首部２ｂを上方に引き出すと、可動部３が上方に凸状をなすように変形し、首部２が上下方向に伸長した状態に保持される。また、図２(b) 及び図４に示すように第２の首部２ｂを下方に押し込むと、可動部３が下方に凸状をなすように変形し、首部２が上下方向に収縮した状態に保持される。更に、図２(c) 及び図５に示すように第２の首部２ｂを横方向に傾けると、可動部３の幅方向一端側（第２の首部２ｂの傾斜方向）が下方に凸状をなすように変形するとともに、可動部３の幅方向他端側（第２の首部２ｂの傾斜方向の反対側）が上方に凸状をなすように変形し、第２の首部２ｂが傾斜した状態に保持される。この場合、第２の首部２ｂは可動部３の径方向何れの向きにも傾斜させることができる。
【００１８】
以上のように構成された液体容器には、例えばお茶、ジュース、酒類等の飲料が収容され、図６に示すようにグラス５に飲料６を注ぐ際、第２の首部２ｂをグラス５側に傾斜させた状態で容器本体１を傾けることにより、飲料６がグラス５に向かって吐出し易くなり、飲料６をグラス５からこぼしたり、或いはグラス５の周囲に飛散させることが少なくなる。
【００１９】
このように、本実施形態の液体容器によれば、第２の首部２ｂを横方向に傾斜させるように変形可能な可動部３を備えているので、第２の首部２ｂをグラス５側に傾けた状態で飲料６を注出することにより、飲料６をグラス５に注ぎ易くなり、飲料注出作業を円滑に行うことができる。また、第２の首部２ｂを必要に応じて傾斜させることができるので、飲料注出時以外は第２の首部２ｂを傾斜させずに注出口２ｃを真上に向けておくことができる。これにより、例えば飲料の製造工場においては、一般の液体容器と同様、真上から飲料を注入することができ、既存の工場設備を利用することができるという利点がある。更に、販売店に商品として陳列する場合には、第２の首部２ｂを真上に向けておくことにより、一般の液体容器と同様に整然と陳列することができ、店頭での見栄えを低下させることがないという利点もある。
【００２０】
また、前記可動部３をその上方に位置する第２の首部２ｂの下端側から径方向に延びる鍔状に形成し、鍔状部分が上下方向に変形するように形成したので、第２の首部２ｂを可動部３の径方向何れの向きにも傾斜させることができる。これにより、容器本体１を第２の首部２ｂの傾斜方向に合わせて持ち変える必要がなく、飲料注出作業を容易に行うことができる。この場合、可動部３が注出口２ｃの下方に鍔状に広がっているので、注出口２ｃから垂れた飲料を可動部３で受容することができ、垂れた飲料が容器本体１まで流れ落ちることがないという利点もある。
【００２１】
更に、第２の首部２ｂを下方に押し込んだ状態から横方向に傾けると、可動部３の鍔状部分の一部（傾斜方向の反対側）が上方に変形し、その分だけ注出口２ｃに対する内部飲料６の液面６ａの相対位置が低くなるので、内部飲料６の量が多い場合でも、容器本体１を傾けた際に飲料６が勢いよく吐出することがなく、飲料６を注ぎ易くすることができる。
【００２２】
また、可動部３を鍔状部分が上方に変形した状態と下方に変形した状態にそれぞれ保持可能に形成したので、第２の首部２ｂを傾けた状態に確実に保持することができる。
【００２３】
更に、容器本体１、首部２及び可動部３を一体に成形したので、例えばブロー成型によって一般の液体容器と同様の製造方法によって製造することができ、実用化に際して極めて有利である。
【００２４】
尚、前記実施形態では、容器本体１の横方向断面が略四角形状のものを示したが、横方向断面が円形のものであってもよい。更に、本発明はペットボトルのような飲料販売用の容器に限らず、例えば家庭用の飲料容器や水筒等、他の用途の容器にも適用することができる。また、本発明は飲料以外の液体、例えば調味料、油、洗剤類、工業用液剤等、各種の液体を収容するものに適用することが可能である。この場合、例えば調味料等のように液体を少量ずつ注出させたい場合は、図７に示すように容器７に液体８を注ぐ際、第２の首部２ｂを容器７の反対側に傾斜させて注出するようにすれば、容器本体１を傾けても液体８が一度に多量に吐出することがなく、液体８を確実に少量ずつ注出することができる。
【００２５】
図８乃至図１０は可動部３に複数の凹部３ａを設けた液体容器を示すもので、図８は液体容器の平面図、図９はその要部正面図、図１０はその要部正面断面図である。尚、図１乃至図７と同等の構成部分には同一の符号を付して示す。
【００２６】
各凹部３ａは鍔状部分の周縁に位置するように互いに可動部３の周方向に間隔をおいて設けられ、それぞれ可動部３に鍔状部分の上面から第１の首部２ａの上端部２ｄに亘って延びるように形成されている。
【００２７】
これにより、可動部３の鍔状部分が上下方向に変形する際、鍔状部分の周縁に生ずる周方向の応力が各凹部３ａの周方向の変形によって吸収され、可動部３を繰り返し変形させても鍔状部分の周縁に亀裂が生ずることがなく、耐久性の向上を図ることができる。
【図１】
0003890382.tif 000002
【図２】
0003890382.tif 000003
【図３】
0003890382.tif 000004
【図４】
0003890382.tif 000005
【図５】
0003890382.tif 000006
【図６】
0003890382.tif 000007
【図７】
0003890382.tif 000008
【図８】
0003890382.tif 000009
【図９】
0003890382.tif 000010
【図１０】
0003890382.tif 000011